(57)【特許請求の範囲】
【請求項１】
外部からのエネルギーにより発電する発電手段と、前記発電手段からの電力を蓄電する蓄電手段と、現時刻をカウントする現時刻情報記憶手段と、時刻情報を含む電波を受信する受信手段と、現時刻を表示する時刻表示手段とを備えた計時装置において、
前記発電手段の発電状態または前記蓄電手段の蓄電電圧を検出して電力検出信号を出力する電力検出手段と、
前記電力検出手段からの電力検出信号に基づいて、前記時刻表示手段を停止状態に維持する節電モードおよび前記時刻表示手段を稼動状態に維持する通常モードを切り換える動作モード移行手段とを備え、
前記動作モード移行手段は、前記節電モードから前記通常モードへ移行する際に、
まず、前記受信手段で時刻情報の受信を行い、
前記受信手段で前記時刻情報の受信が成功した場合には、前記時刻情報に基づいて修正された前記現時刻情報記憶手段の現時刻を前記時刻表示手段に表示させ、
前記受信手段で前記時刻情報の受信が成功しなかった場合には、前記現時刻情報記憶手段でカウントされた現時刻を前記時刻表示手段に表示させることを特徴とする計時装置。
【請求項２】
電源と、現時刻をカウントする現時刻情報記憶手段と、時刻情報を含む電波を受信する受信手段と、現時刻を表示する時刻表示手段とを備えた計時装置において、
当該計時装置の携帯状態を検出して携帯検出信号を出力する携帯状態検出手段と、
前記携帯状態検出手段からの携帯検出信号に基づいて、前記時刻表示手段を停止状態に維持する節電モードおよび前記時刻表示手段を稼動状態に維持する通常モードを切り換える動作モード移行手段とを備え、
前記動作モード移行手段は、前記節電モードから前記通常モードへ移行する際に、
まず、前記受信手段で時刻情報の受信を行い、
前記受信手段で前記時刻情報の受信が成功した場合には、前記時刻情報に基づいて修正された前記現時刻情報記憶手段の現時刻を前記時刻表示手段に表示させ、
前記受信手段で前記時刻情報の受信が成功しなかった場合には、前記現時刻情報記憶手段でカウントされた現時刻を前記時刻表示手段に表示させることを特徴とする計時装置。
【請求項３】
外部からのエネルギーにより発電する発電手段と、前記発電手段からの電力を蓄電する蓄電手段と、現時刻をカウントする現時刻情報記憶手段と、時刻情報を含む電波を受信する受信手段と、現時刻を表示する時刻表示手段とを備えた計時装置において、
前記発電手段の発電状態または前記蓄電手段の蓄電電圧を検出して電力検出信号を出力する電力検出手段と、
前記電力検出手段からの電力検出信号に基づいて、前記時刻表示手段を停止状態に維持する節電モードおよび前記時刻表示手段を稼動状態に維持する通常モードを切り換える動作モード移行手段とを備え、
前記動作モード移行手段は、前記節電モードから前記通常モードへ移行する際に、
まず、前記現時刻情報記憶手段でカウントされた現時刻を前記時刻表示手段に表示させ、
続いて、前記時刻表示手段に表示された現時刻を、前記受信手段で受信された時刻情報に基づいて修正することを特徴とする計時装置。
【請求項４】
電源と、現時刻をカウントする現時刻情報記憶手段と、時刻情報を含む電波を受信する受信手段と、現時刻を表示する時刻表示手段とを備えた計時装置において、
当該計時装置の携帯状態を検出して携帯検出信号を出力する携帯状態検出手段と、
前記携帯状態検出手段からの携帯検出信号に基づいて、前記時刻表示手段を停止状態に維持する節電モードおよび前記時刻表示手段を稼動状態に維持する通常モードを切り換える動作モード移行手段とを備え、
前記動作モード移行手段は、前記節電モードから前記通常モードへ移行する際に、
まず、前記現時刻情報記憶手段でカウントされた現時刻を前記時刻表示手段に表示させ、
続いて、前記時刻表示手段に表示された現時刻を、前記受信手段で受信された時刻情報に基づいて修正することを特徴とする計時装置。
【請求項５】
外部からのエネルギーにより発電する発電手段と、前記発電手段からの電力を蓄電する蓄電手段と、現時刻をカウントする現時刻情報記憶手段と、時刻情報を含む電波を受信する受信手段と、現時刻を表示する時刻表示手段とを備えた計時装置において、
前記発電手段の発電状態または前記蓄電手段の蓄電電圧を検出して電力検出信号を出力する電力検出手段と、
前記電力検出手段からの電力検出信号に基づいて、前記時刻表示手段を停止状態に維持する節電モードおよび前記時刻表示手段を稼動状態に維持する通常モードを切り換える動作モード移行手段とを備え、
前記現時刻情報記憶手段は、現時刻のうち秒時刻をカウントする秒時刻カウンタおよび現時刻のうち時分時刻をカウントする時分時刻カウンタを備え、
前記動作モード移行手段は、前記節電モードから前記通常モードへ移行する際に、
前記時分時刻カウンタでカウントされた時分時刻を前記時刻表示手段に表示させるとともに、
前記受信手段で受信された時刻情報に基づいて前記秒時刻カウンタの秒時刻を修正して、この修正された秒時刻を前記時刻表示手段に表示させることを特徴とする計時装置。
【請求項６】
電源と、現時刻をカウントする現時刻情報記憶手段と、時刻情報を含む電波を受信する受信手段と、現時刻を表示する時刻表示手段とを備えた計時装置において、
当該計時装置の携帯状態を検出して携帯検出信号を出力する携帯状態検出手段と、
前記携帯状態検出手段からの携帯検出信号に基づいて、前記時刻表示手段を停止状態に維持する節電モードおよび前記時刻表示手段を稼動状態に維持する通常モードを切り換える動作モード移行手段とを備え、
前記現時刻情報記憶手段は、現時刻のうち秒時刻をカウントする秒時刻カウンタおよび現時刻のうち時分時刻をカウントする時分時刻カウンタを備え、
前記動作モード移行手段は、前記節電モードから前記通常モードへ移行する際に、
前記時分時刻カウンタでカウントされた時分時刻を前記時刻表示手段に表示させるとともに、
前記受信手段で受信された時刻情報に基づいて前記秒時刻カウンタの秒時刻を修正して、この修正された秒時刻を前記時刻表示手段に表示させることを特徴とする計時装置。
【請求項７】
外部からのエネルギーにより発電する発電工程と、前記発電工程からの電力を蓄電する蓄電工程と、現時刻をカウントする現時刻情報記憶工程と、時刻情報を含む電波を受信する受信工程と、現時刻を表示する時刻表示工程とを備えた計時装置の制御方法において、
前記発電工程の発電状態または前記蓄電工程の蓄電電圧を検出して電力検出信号を出力する電力検出工程と、
前記電力検出工程からの電力検出信号に基づいて、前記時刻表示工程を停止状態に維持する節電モードおよび前記時刻表示手段を稼動状態に維持する通常モードを切り換える動作モード移行工程とを備え、
前記動作モード移行工程は、前記節電モードから前記通常モードへ移行する際に、
まず、前記受信工程を実行させ、
前記受信工程で前記時刻情報の受信が成功した場合には、前記時刻情報に基づいて修正された前記現時刻情報記憶工程の現時刻を前記時刻表示工程で表示させ、
前記受信工程で前記時刻情報の受信が成功しなかった場合には、前記現時刻情報記憶工程でカウントされた現時刻を前記時刻表示工程で表示させることを特徴とする計時装置の制御方法。
【請求項８】
電源を有し、現時刻をカウントする現時刻情報記憶工程と、時刻情報を含む電波を受信する受信工程と、現時刻を表示する時刻表示工程とを備えた計時装置の制御方法において、
当該計時装置の携帯状態を検出して携帯検出信号を出力する携帯状態検出工程と、
前記携帯状態検出工程による携帯検出信号に基づいて、前記時刻表示工程を停止状態に維持する節電モードおよび前記時刻表示工程を稼動状態に維持する通常モードを切り換える動作モード移行工程とを備え、
前記動作モード移行工程は、前記節電モードから前記通常モードへ移行する際に、
まず、前記受信工程を実行させ、
前記受信工程で前記時刻情報の受信が成功した場合には、前記時刻情報に基づいて修正された前記現時刻情報記憶工程の現時刻を前記時刻表示工程で表示させ、
前記受信工程で前記時刻情報の受信が成功しなかった場合には、前記現時刻情報記憶工程でカウントされた現時刻を前記時刻表示工程で表示させることを特徴とする計時装置の制御方法。
【請求項９】
外部からのエネルギーにより発電する発電工程と、前記発電工程からの電力を蓄電する蓄電工程と、現時刻をカウントする現時刻情報記憶工程と、時刻情報を含む電波を受信する受信工程と、現時刻を表示する時刻表示工程とを備えた計時装置の制御方法において、
前記発電工程の発電状態または前記蓄電工程の蓄電電圧を検出して電力検出信号を出力する電力検出工程と、
前記電力検出工程からの電力検出信号に基づいて、前記時刻表示工程を停止状態に維持する節電モードおよび前記時刻表示手段を稼動状態に維持する通常モードを切り換える動作モード移行工程とを備え、
前記動作モード移行工程は、前記節電モードから前記通常モードへ移行する際に、
まず、前記現時刻情報記憶工程でカウントされた現時刻を前記時刻表示工程で表示させ、
続いて、前記時刻表示工程で表示された現時刻を、前記受信工程で受信した時刻情報に基づいて修正することを特徴とする計時装置の制御方法。
【請求項１０】
電源を有し、現時刻をカウントする現時刻情報記憶工程と、時刻情報を含む電波を受信する受信工程と、現時刻を表示する時刻表示工程とを備えた計時装置の制御方法において、
当該計時装置の携帯状態を検出して携帯検出信号を出力する携帯状態検出工程と、
前記携帯状態検出工程による携帯検出信号に基づいて、前記時刻表示工程を停止状態に維持する節電モードおよび前記時刻表示工程を稼動状態に維持する通常モードを切り換える動作モード移行工程とを備え、
前記動作モード移行工程は、前記節電モードから前記通常モードへ移行する際に、
まず、前記現時刻情報記憶工程でカウントされた現時刻を前記時刻表示工程で表示させ、
続いて、前記時刻表示工程で表示された現時刻を、前記受信工程で受信した時刻情報に基づいて修正することを特徴とする計時装置の制御方法。
【請求項１１】
外部からのエネルギーにより発電する発電工程と、前記発電工程からの電力を蓄電する蓄電工程と、現時刻をカウントする現時刻情報記憶工程と、時刻情報を含む電波を受信する受信工程と、現時刻を表示する時刻表示工程とを備えた計時装置の制御方法において、
前記発電工程の発電状態または前記蓄電工程の蓄電電圧を検出して電力検出信号を出力する電力検出工程と、
前記電力検出工程からの電力検出信号に基づいて、前記時刻表示工程を停止状態に維持する節電モードおよび前記時刻表示手段を稼動状態に維持する通常モードを切り換える動作モード移行工程とを備え、
前記現時刻情報記憶工程は、現時刻のうち秒時刻をカウントする秒時刻カウント工程および現時刻のうち時分時刻をカウントする時分時刻カウント工程を備え、
前記動作モード移行工程は、前記節電モードから前記通常モードへ移行する際に、
前記時分時刻カウント工程でカウントされた時分時刻を前記時刻表示工程で表示させるとともに、
前記受信工程で受信された時刻情報に基づいて前記秒時刻カウント工程の秒時刻を修正して、この修正された秒時刻を前記時刻表示工程で表示させることを特徴とする計時装置の制御方法。
【請求項１２】
電源を有し、現時刻をカウントする現時刻情報記憶工程と、時刻情報を含む電波を受信する受信工程と、現時刻を表示する時刻表示工程とを備えた計時装置の制御方法において、
当該計時装置の携帯状態を検出して携帯検出信号を出力する携帯状態検出工程と、
前記携帯状態検出工程による携帯検出信号に基づいて、前記時刻表示工程を停止状態に維持する節電モードおよび前記時刻表示工程を稼動状態に維持する通常モードを切り換える動作モード移行工程とを備え、
前記現時刻情報記憶工程は、現時刻のうち秒時刻をカウントする秒時刻カウント工程および現時刻のうち時分時刻をカウントする時分時刻カウント工程を備え、
前記動作モード移行工程は、前記節電モードから前記通常モードへ移行する際に、
前記時分時刻カウント工程でカウントされた時分時刻を前記時刻表示工程で表示させるとともに、
前記受信工程で受信された時刻情報に基づいて前記秒時刻カウント工程の秒時刻を修正して、この修正された秒時刻を前記時刻表示工程で表示させることを特徴とする計時装置の制御方法。
【発明の詳細な説明】
【０００１】
【発明の属する技術分野】
本発明は、計時装置および計時装置の制御方法に関する。特に、節電機能と、時刻情報を含む電波を受信する機能とを有する計時装置および計時装置の制御方法に関する。
【０００２】
【背景技術】
節電機能と、時刻情報を含む電波を受信する機能とを有する計時装置として、節電機能付き電波修正時計が知られている。このような電波修正時計は、例えば、特開平１１−２２３６８４号に開示されている。
この電波修正時計は、現時刻をカウントする現時刻カウンタと、現時刻カウンタの現時刻を表示する時刻表示手段と、時刻情報を含んだ電波を受信する受信手段と、発電装置と、発電装置からの電力を蓄電する二次電池と、二次電池からの電圧を検出する電圧検出回路と、電圧検出回路からの電圧検出値に応じて時刻表示手段および受信回路の動作モードを移行させる動作モード移行手段とを備える。
時刻情報を含んだ電波としては、長波標準電波を利用することができる。
発電装置としては、回転錘の動力を電力に変換するものや、太陽光発電や、温度差により発電する熱発電器などを利用することができる。
【０００３】
このような構成において、電圧検出回路での電圧検出値が所定値以上であるときは、通常モードが行われる。すなわち、現時刻カウンタでカウントされる現時刻が時刻表示手段に表示される。さらに、予め設定された時間間隔で、受信手段により時刻情報が受信される。この受信された時刻情報に従って現時刻カウンタの現時刻が修正されるとともに、時刻表示手段の表示時刻が修正される。
電圧検出回路での電圧検出値が所定値未満であるときは、節電モードが行われる。すなわち、現時刻カウンタ、時刻表示手段および受信手段への電力の供給が停止される。すると、現時刻のカウント、時刻表示および時刻情報を受信する電力が節電される。
電圧検出回路での電圧検出値が所定値を再び超えた際には、節電モードから通常モードへの移行が行われる。この際、受信手段により時刻情報が受信される。すると、この時刻情報に従って時刻表示手段に現時刻が表示される。
【０００４】
このような構成によれば、電圧検出回路での電圧検出値が所定値未満である場合は、時刻表示および時刻情報の受信を行わないので、電力を節電することができる。
また、電圧検出回路での電圧検出値が、再び所定値以上になった際には、受信回路で時刻情報を受信して現時刻カウンタの現時刻を修正する。よって、節電動作モードから通常動作モードへ復帰する際には、受信した時刻情報に基づく正確な現時刻を表示することができる。
【０００５】
【発明が解決しようとする課題】
しかしながら、節電モードから通常モードに復帰する際に、受信手段で時刻情報の受信に成功しない場合があり得る。例えば、電波修正時計が建物内にあると、長波標準電波が建物の壁に遮蔽されて受信手段まで到達しない場合がある。電波修正時計の周囲に磁界発生源が存在する場合には、長波標準電波の信号波形が磁界ノイズにより変形されてしまい、正確な時刻情報を受信できないことがある。
前記公報には、時刻情報の受信に成功しなかった場合についての記載はなく、この場合には節電モードから通常モードへの復帰が行われないという問題がある。あるいは、時刻情報の受信に成功するまで待ちつづけなければ、ユーザーは、現時刻を知ることができない。これは、大変な不便を生じる。
【０００６】
節電機能は、発電装置を備える計時装置のみならず、一次電池によって駆動される計時装置にも必要とされる問題である。特に、時刻情報の受信に多量の電力を消費する電波修正時計においては、電池の寿命を長くすることが求められる。
【０００７】
本発明の目的は、従来の問題を解消し、節電機能および時刻情報を含む電波の受信機能を有するとともに、現時刻を早く、正確に表示することができる計時装置および計時装置の制御方法を提供することにある。
【０００８】
【課題を解決するための手段】
本発明の計時装置は、外部からのエネルギーにより発電する発電手段と、前記発電手段からの電力を蓄電する蓄電手段と、現時刻をカウントする現時刻情報記憶手段と、時刻情報を含む電波を受信する受信手段と、現時刻を表示する時刻表示手段とを備えた計時装置において、前記発電手段の発電状態または前記蓄電手段の蓄電電圧を検出して電力検出信号を出力する電力検出手段と、前記電力検出手段からの電力検出信号に基づいて、前記時刻表示手段を停止状態に維持する節電モードおよび前記時刻表示手段を稼動状態に維持する通常モードを切り換える動作モード移行手段とを備え、前記動作モード移行手段は、前記節電モードから前記通常モードへ移行する際に、まず、前記受信手段で時刻情報の受信を行い、前記受信手段で前記時刻情報の受信が成功した場合には、前記時刻情報に基づいて修正された前記現時刻情報記憶手段の現時刻を前記時刻表示手段に表示させ、前記受信手段で前記時刻情報の受信が成功しなかった場合には、前記現時刻情報記憶手段でカウントされた現時刻を前記時刻表示手段に表示させることを特徴とする。
また、本発明の計時装置は、電源と、現時刻をカウントする現時刻情報記憶手段と、時刻情報を含む電波を受信する受信手段と、現時刻を表示する時刻表示手段とを備えた計時装置において、当該計時装置の携帯状態を検出して携帯検出信号を出力する携帯状態検出手段と、前記携帯状態検出手段からの携帯検出信号に基づいて、前記時刻表示手段を停止状態に維持する節電モードおよび前記時刻表示手段を稼動状態に維持する通常モードを切り換える動作モード移行手段とを備え、前記動作モード移行手段は、前記節電モードから前記通常モードへ移行する際に、まず、前記受信手段で時刻情報の受信を行い、前記受信手段で前記時刻情報の受信が成功した場合には、前記時刻情報に基づいて修正された前記現時刻情報記憶手段の現時刻を前記時刻表示手段に表示させ、前記受信手段で前記時刻情報の受信が成功しなかった場合には、前記現時刻情報記憶手段でカウントされた現時刻を前記時刻表示手段に表示させることを特徴とする。
【０００９】
このような構成によれば、動作モード移行手段は、節電モードから通常モードへ移行する際に、受信手段に時刻情報を受信させる。受信手段で時刻情報の受信に成功した場合には、この時刻情報に基づいて現時刻情報記憶手段の現時刻が修正される。修正された現時刻情報記憶手段の現時刻が時刻表示手段に表示される。すると、受信した時刻情報に基づく正確な現時刻を表示することができる。
一方、受信手段で時刻情報の受信に成功しなかった場合には、時刻情報の受信を停止する。続いて、現時刻情報記憶手段でカウントされる現時刻（時刻情報）を時刻表示手段に表示させる。すると、受信に成功するまでの無駄な待ち時間を省き、早く現時刻を表示させることができる。
本発明によれば、周囲の電波状況によって受信手段で時刻情報を受信できない場合であっても、無駄に受信を繰り返すことなく、現時刻情報記憶手段の現時刻を用いて、早く現時刻を表示することができる。すなわち、節電モードから通常モードに復帰する際に、ユーザーに過度の待ち時間を強いることなく、素早く現時刻を知らせることができる。
現時刻情報記憶手段でカウントされる現時刻であっても、例えば水晶時計であれば、計時精度は月差数１０秒程度であるので、時刻情報としては大きな支障を生じることはない。さらに、現時刻情報記憶手段の現時刻を表示した後、受信手段で時刻情報の受信を行えばよい。受信手段で時刻情報の受信に成功した場合に、受信した時刻情報に基づいて時刻修正を行えば、電波修正時計としての正確性も発揮することができる。
【００１０】
本発明の計時装置は、外部からのエネルギーにより発電する発電手段と、前記発電手段からの電力を蓄電する蓄電手段と、現時刻をカウントする現時刻情報記憶手段と、時刻情報を含む電波を受信する受信手段と、現時刻を表示する時刻表示手段とを備えた計時装置において、前記発電手段の発電状態または前記蓄電手段の蓄電電圧を検出して電力検出信号を出力する電力検出手段と、前記電力検出手段からの電力検出信号に基づいて、前記時刻表示手段を停止状態に維持する節電モードおよび前記時刻表示手段を稼動状態に維持する通常モードを切り換える動作モード移行手段とを備え、前記動作モード移行手段は、前記節電モードから前記通常モードへ移行する際に、まず、前記現時刻情報記憶手段でカウントされた現時刻を前記時刻表示手段に表示させ、続いて、前記時刻表示手段に表示された現時刻を、前記受信手段で受信された時刻情報に基づいて修正することを特徴とする。
また、本発明の計時装置は、電源と、現時刻をカウントする現時刻情報記憶手段と、時刻情報を含む電波を受信する受信手段と、現時刻を表示する時刻表示手段とを備えた計時装置において、当該計時装置の携帯状態を検出して携帯検出信号を出力する携帯状態検出手段と、前記携帯状態検出手段からの携帯検出信号に基づいて、前記時刻表示手段を停止状態に維持する節電モードおよび前記時刻表示手段を稼動状態に維持する通常モードを切り換える動作モード移行手段とを備え、前記動作モード移行手段は、前記節電モードから前記通常モードへ移行する際に、まず、前記現時刻情報記憶手段でカウントされた現時刻を前記時刻表示手段に表示させ、続いて、前記時刻表示手段に表示された現時刻を、前記受信手段で受信された時刻情報に基づいて修正することを特徴とする。
【００１１】
このような構成によれば、動作モード移行手段は、節電モードから通常モードへ移行する際に、まず、現時刻情報記憶手段でカウントされる現時刻（時刻情報)を時刻表示手段に表示させる。続いて、受信手段に時刻情報を受信させる。受信手段で時刻情報の受信に成功した場合には、この時刻情報に基づいて現時刻情報記憶手段の現時刻が修正される。修正された現時刻情報記憶手段の現時刻が時刻表示手段に表示される。
本発明によれば、節電モードから通常モードに移行する際に、まず、現時刻情報記憶手段でカウントされる現時刻を表示するので、速やかに、現時刻を時刻表示手段に表示することができる。すなわち、節電モードから通常モードに復帰する際に、ユーザーに数分に渡るような過度の待ち時間を強いることなく、素早く現時刻を知らせることができる。現時刻情報記憶手段でカウントされる現時刻であっても、その計時精度は月差数１０秒程度であるので、時刻情報としては大きな支障を生じることはない。
現時刻情報記憶手段の現時刻を表示した後、続いて、受信手段で時刻情報の受信を行う。受信手段で時刻情報の受信に成功した場合には、受信した時刻情報に基づいて時刻修正を行う。よって、電波時計としての正確性も発揮することができる。
【００１２】
本発明の計時装置は、外部からのエネルギーにより発電する発電手段と、前記発電手段からの電力を蓄電する蓄電手段と、現時刻をカウントする現時刻情報記憶手段と、時刻情報を含む電波を受信する受信手段と、現時刻を表示する時刻表示手段とを備えた計時装置において、前記発電手段の発電状態または前記蓄電手段の蓄電電圧を検出して電力検出信号を出力する電力検出手段と、前記電力検出手段からの電力検出信号に基づいて、前記時刻表示手段を停止状態に維持する節電モードおよび前記時刻表示手段を稼動状態に維持する通常モードを切り換える動作モード移行手段とを備え、前記現時刻情報記憶手段は、現時刻のうち秒時刻をカウントする秒時刻カウンタおよび現時刻のうち時分時刻をカウントする時分時刻カウンタを備え、前記動作モード移行手段は、前記節電モードから前記通常モードへ移行する際に、前記時分時刻カウンタでカウントされた時分時刻を前記時刻表示手段に表示させるとともに、前記受信手段で受信された時刻情報に基づいて前記秒時刻カウンタの秒時刻を修正して、この修正された秒時刻を前記時刻表示手段に表示させることを特徴とする。
また、本発明の計時装置は、電源と、現時刻をカウントする現時刻情報記憶手段と、時刻情報を含む電波を受信する受信手段と、現時刻を表示する時刻表示手段とを備えた計時装置において、当該計時装置の携帯状態を検出して携帯検出信号を出力する携帯状態検出手段と、前記携帯状態検出手段からの携帯検出信号に基づいて、前記時刻表示手段を停止状態に維持する節電モードおよび前記時刻表示手段を稼動状態に維持する通常モードを切り換える動作モード移行手段とを備え、前記現時刻情報記憶手段は、現時刻のうち秒時刻をカウントする秒時刻カウンタおよび現時刻のうち時分時刻をカウントする時分時刻カウンタを備え、前記動作モード移行手段は、前記節電モードから前記通常モードへ移行する際に、前記時分時刻カウンタでカウントされた時分時刻を前記時刻表示手段に表示させるとともに、前記受信手段で受信された時刻情報に基づいて前記秒時刻カウンタの秒時刻を修正して、この修正された秒時刻を前記時刻表示手段に表示させることを特徴とする。
【００１３】
このような構成によれば、動作モード移行手段は、節電モードから通常モードへ移行する際に、まず、時分に関しては、時分時刻カウンタでカウントされる時分時刻を時刻表示手段に表示させる。同時に受信手段で時刻情報を受信して、秒に関して秒時刻カウンタでカウントされる秒時刻を修正する。その後、この修正された秒時刻を時刻表示手段で表示させる。
本発明によれば、節電モードから通常モードに移行する際に、まず、時刻情報として重要な時分に関しては、速やかに、時刻表示手段に表示することができる。よって、時分に関する情報についてはユーザーに待ち時間を強いることがない。時分時刻カウンタでカウントされる時刻であっても、水晶時計であれば計時精度は月差数１０秒程度であるので、時分時刻に関しては正確である可能性が高い。
秒に関しては、受信手段で受信した時刻情報に基づいて修正を行うので、電波修正時計としての正確性を発揮することができる。
【００１４】
ここで、発電手段で発電された電力は、蓄電手段に蓄電され、この電力により計時装置が駆動される。発電手段としては、例えば、回転錘を利用するもの、温度差発電するもの、太陽光発電を行うものなどが利用できる。
また、蓄電手段は、外部充電によって蓄電されることも可能である。
現時刻情報記憶手段は、所定のクロックパルスをカウントして現時刻を順次更新していく。
動作モード移行手段は、例えば、回転錘が回転されるなどにより発電手段で発電された状態、または、蓄電手段の蓄電電圧が所定値（閾値）以上である状態を検出した際に出力される電力検出信号に基づいて、動作モードを時刻表示手段が稼動状態となる通常モードに設定する。通常モードでは、現時刻情報記憶手段でカウントされる現時刻が、時刻表示手段に表示される。
また一方で、動作モード移行手段は、発電手段で発電されていない状態、または、蓄電手段の蓄電電圧が所定値（閾値）未満である状態を検出した際に出力される電力検出信号に基づいて、動作モードを時刻表示手段が停止状態となる節電モードに設定する。節電モードでは、時刻表示手段に現時刻が表示されない。例えば、時刻表示手段が指針式であれば、指針の運針を停止する。よって、時刻表示を行わない分電力が節電される。
節電モードにある計時装置が再び発電状態になると、この発電状態、または、蓄電手段の蓄電電圧が所定値（閾値）以上である状態を検出した際に出力される電力検出信号に基づいて節電モードから通常モードへ設定が切り換わり、時刻表示部に現時刻が表示される。時刻表示手段が指針式であれば、現時刻を表示させるように指針を早送り（または逆回転）させる。
【００１５】
また、電源としては、一次電池、二次電池のみならず、回転錘により発電する発電装置や太陽光発電装置などを含めて利用することができる。この二次電池は、発電や外部充電によって充電される。携帯検出手段としては、例えば、加速度計などを備えたものが利用できる。
ユーザーが計時装置を使用する場合には、携帯検出手段でこの計時装置が使用されていることが検出される。計時装置が使用されているときは、携帯検出手段からの携帯検出信号に基づいて、動作モード移行手段は、時刻表示手段が稼動状態となる通常モードに設定を行う。すると、現時刻情報記憶手段でカウントされる現時刻が、時刻表示手段に表示される。
一方、ユーザーが計時装置を使用しない場合には、携帯検出手段からの携帯検出信号に基づいて、動作モード移行手段は、時刻表示手段が停止状態となる節電モードに設定を行う。すると、時刻表示手段に現時刻が表示されない。よって、時刻表示を行う電力を節電することができる。
節電モードにある計時装置をユーザーが再び使用すると、携帯検出手段で計時装置が使用されていることが検出される。すると、携帯検出手段からの携帯検出信号に基づいて動作モード移行手段により節電モードから通常モードへの移行が行われ、時刻表示部に現時刻が表示される。
【００１６】
本発明の計時装置の制御方法は、外部からのエネルギーにより発電する発電工程と、前記発電工程からの電力を蓄電する蓄電工程と、現時刻をカウントする現時刻情報記憶工程と、時刻情報を含む電波を受信する受信工程と、現時刻を表示する時刻表示工程とを備えた計時装置の制御方法において、前記発電工程の発電状態または前記蓄電工程の蓄電電圧を検出して電力検出信号を出力する電力検出工程と、前記電力検出工程からの電力検出信号に基づいて、前記時刻表示工程を停止状態に維持する節電モードおよび前記時刻表示手段を稼動状態に維持する通常モードを切り換える動作モード移行工程とを備え、前記動作モード移行工程は、前記節電モードから前記通常モードへ移行する際に、まず、前記受信工程を実行させ、前記受信工程で前記時刻情報の受信が成功した場合には、前記時刻情報に基づいて修正された前記現時刻情報記憶工程の現時刻を前記時刻表示工程で表示させ、前記受信工程で前記時刻情報の受信が成功しなかった場合には、前記現時刻情報記憶工程でカウントされた現時刻を前記時刻表示工程で表示させることを特徴とする。
また、本発明の計時装置の制御方法は、電源を有し、現時刻をカウントする現時刻情報記憶工程と、時刻情報を含む電波を受信する受信工程と、現時刻を表示する時刻表示工程とを備えた計時装置の制御方法において、当該計時装置の携帯状態を検出して携帯検出信号を出力する携帯状態検出工程と、前記携帯状態検出工程による携帯検出信号に基づいて、前記時刻表示工程を停止状態に維持する節電モードおよび前記時刻表示工程を稼動状態に維持する通常モードを切り換える動作モード移行工程とを備え、前記動作モード移行工程は、前記節電モードから前記通常モードへ移行する際に、まず、前記受信工程を実行させ、前記受信工程で前記時刻情報の受信が成功した場合には、前記時刻情報に基づいて修正された前記現時刻情報記憶工程の現時刻を前記時刻表示工程で表示させ、前記受信工程で前記時刻情報の受信が成功しなかった場合には、前記現時刻情報記憶工程でカウントされた現時刻を前記時刻表示工程で表示させることを特徴とする。
【００１７】
このような構成によれば、前記発明と同様の作用効果を奏することができる。すなわち、周囲の電波状況によって受信工程で時刻情報を受信できない場合であっても、無駄に受信を繰り返すことなく、現時刻情報記憶工程の現時刻を用いて、早く現時刻を表示することができる。よって、節電モードから通常モードに復帰する際に、ユーザーに過度の待ち時間を強いることなく、素早く現時刻を知らせることができる。
【００１８】
本発明の計時装置の制御方法は、外部からのエネルギーにより発電する発電工程と、前記発電工程からの電力を蓄電する蓄電工程と、現時刻をカウントする現時刻情報記憶工程と、時刻情報を含む電波を受信する受信工程と、現時刻を表示する時刻表示工程とを備えた計時装置の制御方法において、前記発電工程の発電状態または前記蓄電工程の蓄電電圧を検出して電力検出信号を出力する電力検出工程と、前記電力検出工程からの電力検出信号に基づいて、前記時刻表示工程を停止状態に維持する節電モードおよび前記時刻表示手段を稼動状態に維持する通常モードを切り換える動作モード移行工程とを備え、前記動作モード移行工程は、前記節電モードから前記通常モードへ移行する際に、まず、前記現時刻情報記憶工程でカウントされた現時刻を前記時刻表示工程で表示させ、続いて、前記時刻表示工程で表示された現時刻を、前記受信工程で受信した時刻情報に基づいて修正することを特徴とする。
また、本発明の計時装置の制御方法は、電源を有し、現時刻をカウントする現時刻情報記憶工程と、時刻情報を含む電波を受信する受信工程と、現時刻を表示する時刻表示工程とを備えた計時装置の制御方法において、当該計時装置の携帯状態を検出して携帯検出信号を出力する携帯状態検出工程と、前記携帯状態検出工程による携帯検出信号に基づいて、前記時刻表示工程を停止状態に維持する節電モードおよび前記時刻表示工程を稼動状態に維持する通常モードを切り換える動作モード移行工程とを備え、前記動作モード移行工程は、前記節電モードから前記通常モードへ移行する際に、まず、前記現時刻情報記憶工程でカウントされた現時刻を前記時刻表示工程で表示させ、続いて、前記時刻表示工程で表示された現時刻を、前記受信工程で受信した時刻情報に基づいて修正することを特徴とする。
【００１９】
このような構成によれば、前記発明と同様の作用効果を奏することができる。すなわち、節電モードから通常モードに移行する際に、まず、現時刻情報記憶工程でカウントされる現時刻を表示するので、速やかに、現時刻を時刻表示工程で表示することができる。よって、節電モードから通常モードに復帰する際に、ユーザーに過度の待ち時間を強いることなく、素早く現時刻を知らせることができる。
【００２０】
本発明の計時装置の制御方法は、外部からのエネルギーにより発電する発電工程と、前記発電工程からの電力を蓄電する蓄電工程と、現時刻をカウントする現時刻情報記憶工程と、時刻情報を含む電波を受信する受信工程と、現時刻を表示する時刻表示工程とを備えた計時装置の制御方法において、前記発電工程の発電状態または前記蓄電工程の蓄電電圧を検出して電力検出信号を出力する電力検出工程と、前記電力検出工程からの電力検出信号に基づいて、前記時刻表示工程を停止状態に維持する節電モードおよび前記時刻表示手段を稼動状態に維持する通常モードを切り換える動作モード移行工程とを備え、前記現時刻情報記憶工程は、現時刻のうち秒時刻をカウントする秒時刻カウント工程および現時刻のうち時分時刻をカウントする時分時刻カウント工程を備え、前記動作モード移行工程は、前記節電モードから前記通常モードへ移行する際に、前記時分時刻カウント工程でカウントされた時分時刻を前記時刻表示工程で表示させるとともに、前記受信工程で受信された時刻情報に基づいて前記秒時刻カウント工程の秒時刻を修正して、この修正された秒時刻を前記時刻表示工程で表示させることを特徴とする。
また、本発明の計時装置の制御方法は、電源を有し、現時刻をカウントする現時刻情報記憶工程と、時刻情報を含む電波を受信する受信工程と、現時刻を表示する時刻表示工程とを備えた計時装置の制御方法において、当該計時装置の携帯状態を検出して携帯検出信号を出力する携帯状態検出工程と、前記携帯状態検出工程による携帯検出信号に基づいて、前記時刻表示工程を停止状態に維持する節電モードおよび前記時刻表示工程を稼動状態に維持する通常モードを切り換える動作モード移行工程とを備え、前記現時刻情報記憶工程は、現時刻のうち秒時刻をカウントする秒時刻カウント工程および現時刻のうち時分時刻をカウントする時分時刻カウント工程を備え、前記動作モード移行工程は、前記節電モードから前記通常モードへ移行する際に、前記時分時刻カウント工程でカウントされた時分時刻を前記時刻表示工程で表示させるとともに、前記受信工程で受信された時刻情報に基づいて前記秒時刻カウント工程の秒時刻を修正して、この修正された秒時刻を前記時刻表示工程で表示させることを特徴とする。
【００２１】
このような構成によれば、前記発明と同様の作用効果を奏することができる。すなわち、節電モードから通常モードに移行する際に、まず、時刻情報として重要な時分に関しては、速やかに、時刻表示手段に表示することができる。秒に関しては、受信手段で受信した時刻情報に基づいて修正を行うので、電波修正時計としての正確性を発揮することができる。
【００３９】
【発明の実施の形態】
以下、本発明の実施の形態を図示例と共に説明する。
（第１実施形態）
図１に、本発明の計時装置にかかる第１実施形態として、腕時計型の電波修正時計を示す。
この電波修正時計１は、発電手段としての発電装置２と、この発電装置２で発電された電力を蓄電する蓄電部３と、時刻情報を含んだ電波を受信する受信手段としての受信部４と、装置全体の駆動を制御する制御部８と、時刻を表示する時刻表示手段としての指針を運針する運針部６と、制御部８からの駆動制御信号を受けて運針部６を駆動する駆動回路部７とを備えて構成されている。これらは、図示しない本体ケースに収納されている。本体ケースには、この電波修正時計１をユーザーの手首に装着するためのベルト（不図示）が連結されている。
【００４０】
発電装置２は、略半円形の板状で回転中心が回転可能に支持された回転錘２１と、この回転錘２１の回転による機械的エネルギーを伝達する伝達ギア２２と、伝達ギア２２によって伝達された動力によって発電する発電機２３とを備える。この発電機は、伝達ギアにより伝達された動力で回転される発電用ロータ２４と、発電用ステータ２５および発電用コイル２６とを備えた一般的な発電機である。
【００４１】
蓄電部３は、蓄電手段としての高容量二次電源３１と、二次電源３１の過充電を防止するリミッタ回路３２（図３参照）と、発電装置２からの電流を整流する整流回路３３と、二次電源３１からの出力電圧を昇降するための昇降圧回路３４とを備えて構成されている。
【００４２】
受信部４は、外部から送信される時刻情報を含んだ電波を受けるアンテナ４１と、アンテナ４１で受けた電波を処理する受信回路４２とを備えて構成されている。
時刻情報を含んだ電波としては、長波標準電波（ＪＪＹ）などが利用できる。この長波標準電波のタイムコードフォーマットには、項目として現在時刻の分、時、現在年の１月１日からの通算日、年（西暦下２桁）、曜日およびうるう秒が含まれている。毎分０秒の時刻情報が一分間隔で送信される。各項目の値は、各秒毎に割り当てられた数値の組み合わせによって構成される。ちなみに、長波標準電波はセシウム原子時計を基準としているため、この長波標準電波を受信して時刻を修正する電波修正時計は、誤差が１０万年に１秒という非常に高い精度を得ることができる。
【００４３】
受信回路４２は、図２に示されるように、アンテナ４１によって受信された長波標準電波信号を増幅する増幅回路４３と、増幅された長波標準電波から所望の周波数成分のみを抜き出すバンドパスフィルタ４４と、長波標準電波信号を平滑化し復調する復調回路４５と、増幅回路４３のゲインコントロールを行ない長波標準電波信号の受信レベルが一定になるように制御するＡＧＣ（Ａｕｔｏｍａｔｉｃ  Ｇａｉｎ  Ｃｏｎｔｒｏｌ）回路４６と、復調された長波標準電波をデコードして出力するデコード回路４７とを備えて構成されている。
受信回路４２は、予め設定されたスケジュールや、節電モードから通常モードへの移行によって時刻情報の受信を開始するが、この点については後述する。
【００４４】
時刻表示手段５は、現時刻の秒を示す秒針５１と、分を示す分針５２と、時を示す時針５３とを備え、図示しない文字盤の目盛りを指針（秒針、分針、時針）で指し示すことにより現時刻を表示する。
運針部６は、秒針５１を駆動する秒モータ６１と、時針５３および分針５２を駆動する時分モータ６２とを備えて構成されている。
秒モータ６１および時分モータ６２は、ステッピングモータであり、制御部８からの制御制御信号ａ、ｂを受けて駆動回路部７から出力されるパルス信号ｃ、ｄにより駆動制御される。
秒モータ６１の駆動力は、歯車列６３を介して秒針５１に伝達される。時分モータ６２の駆動力は歯車列６４を介して分針５２、時針５３に伝達される。
【００４５】
駆動回路部７は、秒モータ６１を駆動する秒駆動回路７１と、時分モータ６２を駆動する時分駆動回路７２とを備えて構成されている。秒駆動回路７１および時分駆動回路７２は、制御部８からの駆動制御信号ａ、ｂを受けて、秒モータ６１を駆動する秒駆動パルスｃおよび時分モータ６２を駆動する時分駆動パルスｄをそれぞれ出力する。
【００４６】
制御部８は、図３に示されるように、中央制御部８１と、カウンタ部９１とを備えて構成されている。
中央制御部８１は、発電装置２での発電状態または二次電源３１の蓄電電圧を検出する電力検出部８３と、受信回路４２の受信動作を制御する受信制御部８６と、動作モードを設定して装置全体の駆動を制御する駆動制御部８７とを備えて構成されている。中央制御部８１には、クロックパルスを生成するパルス合成回路８２からパルス信号が入力される。
【００４７】
パルス合成回路８２は、水晶振動子８２１からなる基準発振源を有する発振回路を備え、発振回路から出力される基準パルスを分周してクロックパルスを始めとする種々のパルスを生成する。
【００４８】
電力検出部８３は、発電装置２が発電状態であるか否かを検出する発電検出回路８４と、二次電源３１の電圧を検出する電圧検出回路８５とを備えて構成されている。
発電検出回路８４を図４に示す。発電検出回路８４は、Ｐチャネルトランジスタ８４１、８４２と、コンデンサ８４３と、抵抗８４４と、インバータ８４５、８４６と、プルアップ抵抗８４７、８４８とを備えて構成されている。
Ｐチャネルトランジスタ８４１，８４２のゲート端子には、発電装置２の両端の端子電圧が印加され、各ソース端子には、それぞれ高電位側電圧Ｖｄｄが印加される。また、コンデンサ８４３は、Ｐチャネルトランジスタ８４１、８４２のドレイン端子が電流引き込み側の端子に接続されている。コンデンサ８４３の他方の端子には低電位側電圧Ｖｓｓが印加される。
【００４９】
抵抗８４４は数十Ｍから数Ｇオームの高抵抗値を有する。抵抗８４４は、コンデンサ８４３に並列に接続されておりコンデンサ８４３の電荷を放電する。インバータ８４５は、Ｐチャネルトランジスタ８４１、８４２のドレイン端子が入力に接続されている。また、インバータ８４６は、インバータ８４５に直列に接続されており、インバータ８４６の出力信号が発電検出信号となる。ここで、低電位側電圧Ｖｓｓは、高電位側電圧Ｖｄｄ（＝ＧＮＤ）を基準としたときの負電圧であり、高電位側電圧Ｖｄｄからの電位差を示している。以上の構成において、発電装置２に起電圧が発生すると、Ｐチャネルトランジスタ８４１，８４２が交互に“ＯＮ”状態になり、コンデンサ８４３の端子間に電圧が発生する。これにより、インバータ８４５への入力が“Ｈ”レベルになる。したがって、インバータ８４６から発電検出信号ｅが駆動制御部８７へ出力される。
【００５０】
発電装置２に起電圧が発生していない場合には、Ｐチャネルトランジスタ８４１，８４２が“ＯＦＦ”状態のままとなる。これにより、コンデンサ８４３の電荷が抵抗８４４によって放電されるためコンデンサ８４３の端子間電圧が減少し、インバータ８４５への入力が“Ｌ”レベルになる。したがって、インバータ８４６から発電検出信号が出力されない。ここで、発電検出回路８４には、プルアップ抵抗８４７，８４８が備えられているため、発電装置２に起電圧が発生していない場合には、残留磁界等による影響を受けることなく確実にＰチャネルトランジスタ８４１，８４２を“ＯＦＦ”状態にすることができる。したがって、発電検出回路８４は、電流消費をゼロに抑えることが可能であり、二次電源３１の消費エネルギーを低減することができる。
【００５１】
電圧検出回路８５は、二次電源３１から供給される電圧を検出する。電圧検出回路８５には、２つの閾値が設けられている。第１の閾値は、節電モードから通常モードへ移行するのに十分な電圧（所定電圧）を検出する閾値（通常電圧値）である。電圧検出回路８５で通常電圧値以上の電圧が検出された場合は、電圧検出回路８５から駆動制御部８７へ電圧検出信号ｆが出力される。
第２の閾値は、二次電源３１の過充電を検出する閾値（リミット電圧値）である。電圧検出回路８５で、リミット電圧値以上の電圧が検出された場合は、電圧検出回路８５からリミッタ回路３２にリミット信号ｇが出力され、発電装置２から二次電源３１への充電が遮断される。
発電検出回路８４からの発電検出信号ｅと、電圧検出回路８５からの電圧検出信号ｆとを合わせて電力検出信号と称する。
【００５２】
受信制御部８６は、受信回路４２の受信動作を制御するものである。受信制御部８６は、通常は、予め設定された時刻、例えば、毎日ＡＭ１０時とＰＭ１０時に受信回路４２に対して受信開始の信号ｈを出力する。この信号ｈを受けて受信回路４２は長波標準電波の受信を開始する。受信回路４２では、一回の受信動作において長波標準電波の受信を数フレーム（例えば５フレーム）繰り返す。連続して受信された時刻情報ｉは、受信制御部８６で一時記憶される。受信制御部８６は、この記憶された時刻情報を相対比較して、時刻情報の受信の成否を判断する。例えば、連続して受信して受信した時刻情報が一分間隔の時刻情報であるか否かを判断する。時刻情報の受信に成功したと判断した場合は、駆動制御部８７に受信成功の信号ｊを出力するとともに、受信した時刻情報ｋをカウンタ部９１に出力する。
【００５３】
駆動制御部８７は、非発電時間計測回路８７１と、通常モード処理部８７２と、節電モード処理部８７３と、動作モード移行部８７４とを備えて構成されている。
非発電時間計測回路８７１は、発電装置２が発電しない連続時間を計測する。非発電時間計測回路８７１は、発電検出回路８４から発電検出信号ｅがＬレベルになった時点から計測をスタートする。非発電時間が予め設定された時間に達した場合、通常モードから節電モードへの移行が行われるが、詳しくは後述する。
【００５４】
通常モード処理部８７２は、発電装置２で発電され、かつ、二次電源３１の蓄電電圧が通常電圧値以上であるときに稼動される。通常モード処理部８７２が稼動されている間は、時刻表示手段５で時刻表示を行う通常モードが行われるが、通常モードでの動作については後述する。
節電モード処理部８７３が稼動している間は、この電波修正時計１は節電モードの動作を行う。すなわち、駆動制御部８７は、駆動回路部７への駆動制御信号ａ、ｂを停止して、時刻表示手段５での時刻表示を停止させる。
動作モード移行部８７４は、電力検出部８３からの電力検出信号ｅ、ｆを受けて節電モードと通常モードとを切り換える動作モード移行手段を構成している。すなわち、動作モード移行部８７４は、通常モードから節電モードへの移行、および、節電モードから通常モードへの移行を行う際の動作（動作モード移行工程）を制御するものであるが、詳しくは後述する。
【００５５】
カウンタ部９１は、時間のうち秒をカウントする秒カウンタ回路部９２と、時分をカウントする時分カウンタ回路部９３とを備えて構成されている。
秒カウンタ回路部９２は、秒位置カウンタ９２１と、秒時刻カウンタ９２２と、秒一致検出回路９２３とを備えて構成されている。
秒位置カウンタ９２１および秒時刻カウンタ９２２はともに６０秒でループするカウンタである。秒位置カウンタ９２１は、駆動制御部８７から秒駆動回路７１に供給される駆動制御信号（秒駆動制御信号ａ）をカウントしている。つまり、秒針５１を駆動させる駆動制御信号をカウントすることによって、秒針５１が示している秒時刻をカウントしている。
【００５６】
秒時刻カウンタ９２２は、パルス合成回路８２で分周され駆動制御部８７を介して出力される１Ｈｚのパルス（クロックパルス）をカウントする。つまり、秒時刻カウンタ９２２は、現時刻のうち秒時刻をカウントしている。また、秒時刻カウンタ９２２は、受信回路４２で時刻情報が受信されると、この時刻情報に従って秒時刻のカウント値を修正する。
秒一致検出回路９２３は、秒位置カウンタ９２１と秒時刻カウンタ９２２とのカウント値の一致を検出し、検出結果に応じて駆動制御部８７に信号ｍを出力する。
【００５７】
時分カウンタ回路部９３は、時分位置カウンタ９３１と、時分時刻カウンタ９３２と、時分一致検出回路９３３とを備えて構成されている。
時分位置カウンタ９３１および時分時刻カウンタ９３２はともに２４時間でループするカウンタである。時分位置カウンタ９３１は、駆動制御部８７から時分駆動回路７２に供給される駆動制御信号（時分駆動制御信号ｂ）をカウントしている。つまり、時針５３、分針５２を駆動させる駆動制御信号をカウントすることによって、時針５３、分針５２が示している時分時刻をカウントしている。
【００５８】
時分時刻カウンタ９３２は、パルス合成回路８２で分周され駆動制御部８７を介して出力される１Ｈｚのパルス（クロックパルス）をカウントする（正確には１Ｈｚを６０回計数したところで１カウントとする）。つまり、時分時刻カウンタ９３２は、現時刻のうち時分時刻をカウントしている。また、時分時刻カウンタ９３２は、受信回路４２で時刻情報が受信されると、この時刻情報に従って時分時刻のカウント値を修正する。
時分一致検出回路９３３は、時分位置カウンタ９３１と時分時刻カウンタ９３２とのカウント値の一致を検出し、検出結果に応じて駆動制御部８７に信号ｎを出力する。
【００５９】
秒時刻カウンタ９２２と時分時刻カウンタ９３２とから現時刻情報記憶手段としての時刻カウンタが構成され、現時刻情報記憶工程が行われる。
秒位置カウンタ９２１と時分位置カウンタ９３１とから針位置カウンタが構成されている。
【００６０】
このような構成からなる第１実施形態の動作について図５、図６を参照して説明する。
図５において、通常モードの動作が行われている場合、発電装置２により発電が行われているかどうかが発電検出回路８４で検出される（ＳＴ１）。ＳＴ２において、発電装置２での発電が検出された場合、通常モードの処理が継続される（ＳＴ８）。
ここで、通常モードでの動作について説明する。
ユーザーは、この電波修正時計１を使用する場合には、本体ケースに連結されたベルトを手首に巻き付けて使用する。電波修正時計１がユーザーの腕に装着されて揺り動かされると、回転錘２１が回転する。すると、回転錘２１の回転により発電用ロータ２４が回転され、発電用ステータ２５により伝達される磁界変動により発電用コイル２６で発電される。すなわち、発電装置２によって発電工程が行われる。
発電装置２で発電された電力は、リミッタ回路３２や整流回路３３を通って二次電源３１に蓄電される（蓄電工程）。発電装置２で発電された電力は、発電検出回路８４で検出（電力検出工程）され、発電検出回路８４から発電検出信号ｅが駆動制御部８７に出力される。二次電源３１に蓄電された電力は、装置全体を駆動するとともに、電圧検出回路８５で検出（電力検出工程）される。電圧検出回路８５で通常電圧値以上の電圧が検出されると、駆動制御部８７に電圧検出信号ｆが出力される。駆動制御部８７が発電検出信号ｅおよび電圧検出信号ｆを受けているときには、通常モード処理部８７２が稼動されている。
また、電圧検出回路８５でリミット電圧値以上の電圧値が検出された場合には、電圧検出回路８５からリミッタ回路３２に信号ｇが出力される。すると、リミッタ回路３２が発電装置２と二次電源３１との接続を遮断し、二次電源３１の過充電が防止される。
【００６１】
通常モード処理部８７２が稼動されて、通常モードに設定されている場合には、時刻表示手段５で現時刻の表示が行われる（時刻表示工程）。すなわち、駆動制御部８７は、カウンタ部９１の秒時刻カウンタ９２２および時分時刻カウンタ９３２でカウントされる現時刻を時刻表示手段５（指針５１、分針５２、時針５３）に表示させるように駆動回路部７に駆動制御信号ａ、ｂを出力する。具体的には、秒駆動回路７１を駆動する秒駆動制御信号ａと、時分駆動回路７２を駆動する時分駆動制御信号ｂを出力する。このとき、秒一致検出回路９２３では、秒位置カウンタ９２１と秒時刻カウンタ９２２との一致が検出され、時分一致検出回路９３３では時分位置カウンタ９３１と時分時刻カウンタ９３２との一致が検出される。
【００６２】
受信制御部９６は、予め設定された受信時刻になると受信回路４２に時刻情報の受信を開始させる信号ｈを出力する。受信回路４２での時刻情報の受信が正常に行われた場合には、時刻情報ｋは、時刻カウンタ（秒時刻カウンタ９２２および時分時刻カウンタ９３２）に出力され、時刻カウンタの現時刻が修正される。この修正された現時刻が時刻表示手段５で表示されるように駆動制御部８７から駆動制御信号ａ、ｂが出力される。
【００６３】
ＳＴ２において、発電が行われていないと判断された場合（発電あり？：ＮＯ）は、非発電時間計測回路８７１で非発電時間の計測が行われる（ＳＴ３）。ＳＴ４において、非発電時間が予め設定された時間継続したと判断された場合（設定時間発電なし：ＹＥＳ）は、この結果に基づいて動作モード移行部８７４が通常モードから節電モードへの移行を行う（動作モード移行工程）。すなわち、ユーザーがこの電波修正時計１を腕から外して使用しなくなったと判断される。このとき、秒位置カウンタ９２１および時分位置カウンタ９３１がそれぞれ現在の秒針５１および時針５３、分針５２の位置を記憶する（ＳＴ５）。その後、駆動制御部８７からの駆動制御信号ａ、ｂが停止され、時刻表示手段５での時刻表示が停止される（ＳＴ６）。通常モード処理部８７２の稼動が停止され、節電モード処理部８７３が稼動される。すると、節電モードに移行される（ＳＴ７）。
【００６４】
ＳＴ４において、非発電時間が設定された時間継続しなかった場合には、電波修正時計１が使用されていると判断され、通常モードが継続される（ＳＴ８）
【００６５】
次に、節電モードが行われている場合について説明する。
節電モードでは、駆動制御部８７からの駆動制御信号ａ、ｂが停止され、時刻表示手段５での時刻表示は行われない。一方、秒時刻カウンタ９２２および時分時刻カウンタ９３２では、パルス合成回路８２からのクロックパルスｐをカウントすることにより、現時刻をカウントしている。このとき、秒一致検出回路９２３および時分一致検出回路９３３での検出値が一致しないが、秒一致検出回路９２３および時分一致検出回路９３３はこの不一致を許容する。
節電モード実行中は、受信回路４２での時刻情報の受信を停止する。設定された受信時刻に到達した場合であっても、受信制御部８６は受信回路４２に受信開始を指令しない。すなわち、節電モードが実行されている間は、時刻情報の受信を行わない。
【００６６】
図６において、節電モード中に発電装置２で発電が行われているかどうかが発電検出回路８４によって検出される（ＳＴ１１）。ＳＴ１２において、発電が行われていると判断された場合（発電あり：ＹＥＳ）には、続いて、電圧検出回路８５によって蓄電電圧が検出される（ＳＴ１３）。ＳＴ１４において、蓄電電圧ＶＳＳが通常電圧値ＶＬ以上であると判断された場合（ＹＥＳ）には、動作モード移行部８７４で、節電モードから通常モードへの移行が行われる。すなわち、ユーザーが電波修正時計１を腕に装着して使用していると判断される。このとき、まず、受信回路４２で時刻情報の受信が行われる（ＳＴ１５）。受信回路４２で受信された時刻情報ｉは受信制御部８６に出力されて、受信の成否が判断される（ＳＴ１６）。受信制御部８６で受信に成功したと判断された場合、受信制御部８６から駆動制御部８７に受信に成功したことが連絡ｊされるとともに、秒時刻カウンタ９２２および時分時刻カウンタ９３２のカウント値が修正される（ＳＴ１７）。続いて、秒位置カウンタ９２１および時分位置カウンタ９３１で記憶されていた針位置が読み出される（ＳＴ１８）。秒一致検出回路９２３および時分一致検出回路９３３からの信号に基づいて、駆動制御部８７から駆動制御信号ａ、ｂが出力され、時刻表示手段５に現時刻が表示されるように指針（秒針５１、分針５２、時針５３）が早送り（または逆回転）される（ＳＴ１９）。針位置カウンタと時刻カウンタとのカウント値が一致したところで（ＳＴ２０）、時刻表示手段５に現時刻が表示される（ＳＴ２１）。以後、通常モード処理部８７２が稼動され、通常モードの動作が行われる（ＳＴ２２）。
【００６７】
ＳＴ１６において、時刻情報の受信に成功していないと判断された場合、時刻情報の受信を停止して、受信制御部８６から駆動制御部８７に受信の不成功が連絡ｊされる。すると、ＳＴ２５において、時刻カウンタでカウントされている時刻情報が読み出される。以後、時刻カウンタの現時刻を時刻表示手段５に表示させるように、針位置カウンタと時刻カウンタのカウント値を一致させるまで駆動制御部８７から駆動制御信号ａ、ｂが出力され、指針（秒針５１、分針５２、時針５３）が早送り（または逆回転）される。針位置カウンタと時刻カウンタとのカウント値が一致したところで時刻表示手段５に現時刻が表示される。
【００６８】
ＳＴ１２において、発電装置からの発電が検出されない場合には、引き続き節電モードが継続される（ＳＴ２３）
ＳＴ１４において、二次電源３１の蓄電電圧ＶＳＳが通常電圧値以下であった場合には、時刻表示手段５の指針を変則的に運針させる（ＳＴ２４）。ここで、指針の変則運針とは、例えば、秒針５１の運針間隔を変えることで通常の時刻表示とは異なった運針をさせることを意味する。
【００６９】
以上、このような構成からなる第１実施形態によれば、以下の効果を奏することができる。
（１）節電モードから通常モードへ移行する場合に、まず、受信回路４２で時刻情報を受信する。受信に成功した場合には、この受信した時刻情報に従って時刻表示を行うので、通常モードに復帰する際に正確な現時刻を表示することができる。
（２）節電モードから通常モードに移行する際に、時刻情報の受信に成功しない場合でも、時刻カウンタでカウントされる時刻を表示する。よって、時刻情報の受信に成功しなくても、現時刻を表示することができる。このとき、時刻情報の受信に成功するまで受信を繰り返すことがないので、早く現時刻を表示することができる。その結果、ユーザーに無駄な待ち時間を強いることがなく、利便性が向上される。
【００７０】
（３）節電によって十分な電力を維持することにより、時刻カウンタでカウントされる時刻であっても、月差数十秒程度の精度を維持できる。よって、時刻カウンタの時刻を表示する場合でも大きな支障を生じることがない。
（４）電圧検出回路８５が設けられ、二次電源３１の蓄電電圧が通常電圧値以上でないときは、節電モードから通常モードに移行しない。すなわち、通常電圧値以上でないと受信回路４２で時刻情報の受信を行わない。よって、受信回路４２で時刻情報を受信する際に、電力不足による誤受信を起こすことがない。その結果、時刻情報を正確に受信する可能性を高め、より正確な時刻表示を行うことができる。
【００７１】
（５）発電検出回路８４が設けられ、発電装置２で発電が行われていない場合には、時刻表示を行わない節電モードとする。よって、電力の消費を削減することができる。電力消費を削減し、発電された電力を有効に利用することができるので、二次電源３１のサイズを小さくすることができる。よって、この電波修正時計１自体を小型化することができる。
（６）電圧検出回路８５が設けられ、二次電池３１の蓄電電圧が通常電圧値未満である場合には、秒針５１を変則運針させる。すると、この秒針５１の変則運針により、ユーザーは、電圧不足ではあるが節電モードから通常モードへの移行が始まったことを認識できる。ユーザーが電波修正時計１を使用する際に、電圧が上がるまでの待ち時間の間何らの動きも示されなければ、故障したのではないかという不安もよぎる。しかし変則運針を行うことにより、しばらく待って電圧が上がれば通常モードに移行することを示すことができる。
【００７２】
（第２実施形態）
次に、本発明の第２実施形態について説明する。第２実施形態は、第１実施形態と基本的構成は同様であるが、第２実施形態が特徴とするところは、節電モードから通常モードへ移行する際の動作にある。
図７に、第２実施形態において、節電モードから通常モードに復帰する場合のフローチャートを示す。
節電モードの状態から再びユーザーが電波修正時計１を腕に装着して使用した場合に、発電装置２で発電が行われているかを検出して（ＳＴ３１）、さらに、二次電源３１の蓄電電圧ＶＳＳが通常電圧値ＶＬＬ以上であるかどうか判断する（ＳＴ３４）ところまでは、第１実施形態と同様である。
【００７３】
ＳＴ３４において、蓄電電圧ＶＳＳが通常電圧値ＶＬ以上であると判断された場合（ＹＥＳ）には、動作モード移行部８７４で、節電モードから通常モードへの移行が行われる。
このとき、まず、時刻カウンタ（秒時刻カウンタ９２２および時分時刻カウンタ９３２）のカウンタ値を読み出し（ＳＴ３５）と、針位置カウンタ（秒位置カウンタ９２１および時分位置カウンタ９３１）のカウント値の読み出し（ＳＴ３６）が行われる。続いて、時刻カウンタのカウンタ値と針位置カウンタのカウンタ値が一致するように、駆動制御部８７から駆動制御信号ａ、ｂが出力されることにより、指針が早送り（または逆回転）されて時刻表示が復帰される（ＳＴ３７）。針位置カウンタと時刻カウンタのカウンタ値が一致（ＳＴ３８）したところで時刻表示手段５での時刻表示が復帰される（ＳＴ３９）。
【００７４】
次に、受信回路４２で時刻情報の受信が行われる（ＳＴ４０）。受信回路４２で受信された時刻情報ｉは受信制御部８６に出力されて、受信の成否が判断される（ＳＴ４１）。受信制御部８６で受信に成功したと判断された場合、受信制御部８６から駆動制御部８７に受信に成功したことが連絡ｊされるとともに、秒時刻カウンタ９２２および時分時刻カウンタ９３２のカウント値が修正される（ＳＴ４２）。秒一致検出回路９２３および時分一致検出回路９３３からの信号ｍ、ｎに基づいて、駆動制御部８７から駆動制御信号ａ、ｂが出力され、時刻表示手段５に現時刻が表示される（ＳＴ４３）。針位置カウンタと時刻カウンタのカウンタ値が一致した（ＳＴ４４）ところで、時刻表示手段５の時刻表示が修正され、以後、通常モードへ移行される（ＳＴ４５）。
【００７５】
ＳＴ４１において、時刻情報の受信に成功しなかった場合は、時刻修正を行うことなく、通常モードへ移行される（ＳＴ４５）。
ＳＴ３２において、発電が検出さない場合には、節電モードが継続される（ＳＴ４６）。
ＳＴ３４において、蓄電電圧Ｖｓｓが通常電圧値ＶＬ未満である場合には、秒針５１の変則運針が行われる（ＳＴ４７）
【００７６】
このような構成からなる第２実施形態によれば、第１実施形態の効果（３）（４）（５）（６）に加えて、次の効果を奏することができる。
（７）節電モードから通常モードへ移行する場合に、まず、時刻カウンタでカウントされる現時刻に従って時刻表示手段に現時刻を表示する。よって、速やかに節電モードから時刻表示を復帰させることができる。その結果、時刻情報を受信するための待ち時間も必要なく、ユーザーが現時刻を知りたいときには、即座に現時刻を表示することができ、利便性が高い。
（８）節電モードから時刻表示を復帰した後に、受信回路４２で時刻情報の受信を行う。時刻情報の受信に成功した場合には、この時刻情報に従って現時刻を修正するので、電波修正時計として正確な時刻を表示することができる。
【００７７】
（第３実施形態）
本発明の第３実施形態を図８に示す。この第３実施形態は、第１実施形態および第２実施形態と基本的構成は同様であるが、第３実施形態が特徴とするところは以下の点である。
第３実施形態では、電源として太陽電池２７が設けられている。また、第１実施形態および第２実施形態の発電検出回路８４に換えて、携帯検出手段として携帯検出回路９４が設けられている。携帯検出回路９４としては、電波修正時計１をユーザーが腕に装着したときに発生する加速度を検出する加速度センサなどを利用することができる。
【００７８】
このような構成において、ユーザーが電波修正時計１を腕に装着して使用している場合には、携帯検出回路９４で電波修正時計１に発生される動きが検出される（携帯検出工程）。携帯が検出される場合には、携帯検出回路９４から携帯検出信号ｑが制御部８に出力され、電波修正時計１が使用されているものとして、通常モードの動作を行う。携帯検出回路９４で携帯が一定時間検出されない場合には、電波修正時計１が使用されていないものとして、時刻表示手段５での時刻表示を停止して節電モードの動作を行う。
【００７９】
節電モードが設定されているときに、再びユーザーが電波修正時計１を使用して、携帯検出回路９４で携帯が検出された場合には、節電モードから通常モードへの移行が行われる。この節電モードから通常モードへの移行の動作は、第１実施形態の如く行ってもよい。すなわち、まず、受信回路４２で時刻情報を受信して、受信に成功した場合には、この時刻情報に従って時刻表示を行う。時刻情報の受信に成功しなかった場合には、時刻カウンタでカウントされる時刻に従って時刻表示を行う。
また、節電モードから通常モードへ移行の動作は、第２実施形態の如く行ってもよい。すなわち、まず、時刻カウンタの時刻を時刻表示手段５に表示する。その後、受信回路４２で時刻情報の受信を行い、この時刻情報に従って時刻表示を修正してもよい。
【００８０】
このような第３実施形態によれば、第１実施形態および第２実施形態の効果（１）〜（８）に加えて、次の効果を奏することができる。
（９）携帯検出回路９４が設けられているので、電波修正時計１が使用されている否かを電波修正時計１に発生する動きから判断することができる。すなわち、ユーザーが電波修正時計１を携帯しているときは、通常モードを行う。一方、ユーザーが電波修正時計１を使用しないときには、節電モードを行う。
電源を太陽電池２７とした場合に、太陽電池２７の発電状態は必ずしも電波修正時計１の使用状態とは一致しない。例えば、暗い場所で電波修正時計１を使用する場合には、太陽電池２７では発電が行われない。太陽電池２７で発電されていないときに節電モードにすると、電波修正時計１が使用されているにもかかわらず、節電モードとなって時刻表示が行われないということになる。しかし、携帯検出回路９４で携帯状態を検出するようにすれば、ユーザーが使用しているときには通常モードで時刻表示が行われ、ユーザーが使用しないときには節電モードとなり時刻表示が行われない。すなわち、ユーザーにとって自然なモード移行となる。
【００８１】
（変形例１）
第１実施形態、第２実施形態および第３実施形態の変形例１として次のような形態でもよい。節電モードから通常モードへ移行する場合に、時分に関しては時分時刻カウンタ９３２のカウント値を時刻表示手段５に表示させつつ、同時に受信回路４２で時刻情報の受信を行ってもよい。時刻情報の受信に成功した場合には、受信した時刻情報に基づいて修正された時刻カウンタの時刻を時刻表示手段５に表示する。時刻情報の受信に成功しなかった場合には、引き続き、秒について秒時刻カウンタ９２２のカウンタ値を時刻表示手段５に表示させる。
【００８２】
このような構成によれば、節電モードから通常モードへ移行する場合に、時刻情報として重要な時分に関しては、速やかに時刻表示を行うことができる。よって、時刻表示を復帰させるまでの待ち時間を必要としないので、ユーザーにとって大変利便性が高い。
さらに、時刻情報の受信に成功した場合は、この時刻情報に基づいて時刻修正を行うため、正確な時刻を表示することができる。
【００８３】
このとき、時刻カウンタでカウントされる時刻の精度は、月差数十秒程度であるので、時分に関して、時分時刻カウンタ９３２のカウンタ値は正確である可能性が高い。すなわち、受信した時刻情報に従って時刻修正を行う場合でも、その時刻修正は秒に関する時刻修正にとどまる場合がおおい。よって、時分に関する時刻は時刻情報の受信を待つことなく時分時刻カウンタ９３２の時刻の表示を行えばよい。秒に関しては、時分時刻を表示復帰させる間に、時刻情報の受信を行えば、時間のロスが最も少ない動作モードの移行とすることができる。
ここで、長波標準電波では、毎分０秒の時刻情報が送信されてくる。よって、秒に関する時刻修正は、０秒のポジションマーカーに同期させる修正を行うだけでよく、簡便である。
【００８４】
尚、本発明の計時装置および計時装置の制御方法は、上述の実施形態にのみ限定されるものではなく、本発明の要旨を逸脱しない範囲内において種々変更を加え得ることは勿論である。
【００８５】
上記実施形態において、駆動回路部７は秒駆動回路７１と時分駆動回路７２で構成され、運針部６は秒針５１を駆動する秒モータ６１と分針５２、時針５３を駆動する時分モータ６２とを備える２モータ構成であるが、駆動回路およびモータは一つでもよい。また、モータを一つにした場合には、カウンタ部６も一つでよい。
または、秒針５１、分針５２、時針５３についてそれぞれ駆動回路およびモータが設けられた３モータ構成でもよい。このような構成によれば、各指針を独立に運針することができる。その結果、節電モードから通常モードに復帰する際や時刻情報に従って時刻修正を行う際、時針５３を運針するために分針５２を一回転させる必要がなく、時刻修正を迅速に行うことができる。
秒位置カウンタ９２１および時分位置カウンタ９３２は、駆動制御部８７から出力される駆動制御信号をカウントすることによって、指針の位置をカウントしているが、指針の位置を検出する指針位置検出手段を設けて、この検出結果をもとに秒位置カウンタ９２１、時分位置カウンタ９３１にデータセットしてもよい。
【００８６】
第１実施形態において、発電装置２は、回転錘の動きでロータを回転させて発電する発電装置に限らず、圧電素子を利用した発電装置や、時計を腕に装着した際の体温と外気温との温度差を利用した熱発電装置でもよい。
【００８７】
第２実施形態において、節電モードから通常モードに移行する際に、時刻カウンタの現時刻を時刻表示手段に表示させた後、受信回路で時刻情報を受信するとしたが、時刻表示の復帰を行っている間に、同時並行して受信回路で時刻情報の受信を行ってもよい。同時並行処理すれば、その分だけ時間のロスが少ない動作モードの移行とすることができる。
【００８８】
受信部４で受信するのは、長波標準電波に限られず、ＦＭラジオ波、ＧＰＳ（Ｇｌｏｂａｌ  Ｐｏｓｉｔｉｏｎｉｎｇ  Ｓｙｓｔｅｍ）などでもよい。受信する電波の種類によってアンテナ４１の構成を適宜変更することはもちろんである。
【００８９】
上記実施形態では、時刻表示手段は、秒針５１、分針５２、時針５３を備えたアナログ表示式であるが、ＬＣＤやＬＥＤなどを用いたデジタル表示式でもよいことはもちろんである。デジタル表示式であれば、節電モードから通常モードへ移行する際に、時刻カウンタの時刻を表示させるだけでよいので、簡便であり、かつ、早い。アナログ式に比べると、指針を早送りして時刻表示を復帰させる必要がないので、動作モードの移行が早い。
【００９０】
上記実施形態において、駆動制御部８７の通常モード処理部８７２、節電モード処理部８７３、動作モード移行部８７４、非発電時間計測回路８７１、および受信制御部８６をＣＰＵ、ＲＯＭ／ＲＡＭなどで構成されたコンピュータで構成してもよい。このコンピュータに所定のプログラムを組み込んで図５、６、７に示す制御を行ってもよい。このようにすれば、設定値を容易に変更することができる。
例えば、動作モード移行部８７４の設定を簡便に変更して、節電モードから通常モードに移行する際の動作を第１実施形態の如く行うか、第２実施形態の如く行うか選択することができる。このとき、受信回路４２で時刻情報の受信を何回行うかを設定することも容易となる。第１実施形態において、受信回路４２で時刻情報の受信に成功しなかった場合に、さらに一回または二回以上繰り返すように設定してもよい。
【００９１】
上記コンピュータのプログラムは、インターネット等の通信手段や、ＣＤ−ＲＯＭやメモリーカード等の記録媒体を介してインストールしてもよい。また、アンテナ４１を備えているので、無線によってプログラムを供給してインストールしてもよい。
【００９２】
上記実施形態において、秒位置カウンタ６１１、秒時刻カウンタ６１２、秒一致検出回路６１３、時分位置カウンタ６２１、時分時刻カウンタ６２２、時分一致検出回路６２３を、ＣＰＵ、ＲＯＭ／ＲＡＭなどで構成されたコンピュータで構成し、このコンピュータに所定のプログラムを組み込んでもよい。
【００９３】
変形例１において、電源は、太陽電池に換えて、一次電池でもよい。電波修正時計の携帯状態を検出して通常モードと節電モードとの移行を行えば、一次電池の消費電力を節電することができる。
【００９４】
以下に本発明のその他の態様を示す。
第１の態様は、外部からのエネルギーにより発電する発電手段と、前記発電手段からの電力を蓄電する蓄電手段と、時刻情報を含む電波を受信する受信手段と、現時刻を表示する時刻表示手段とを備える計時装置にコンピュータを組み込んで、このコンピュータを、現時刻をカウントする現時刻情報記憶手段と、前記発電手段の発電状態または前記蓄電手段の蓄電電圧が所定電圧である状態を検出した際に電力検出信号を出力する電力検出手段と、前記電力検出手段からの電力検出信号に基づいて、前記時刻表示手段を停止状態に維持する節電モードと前記時刻表示手段を稼動状態である通常モードとを切り換え、前記節電モードから前記通常モードへ移行する際に、前記現時刻情報記憶手段でカウントされた時刻情報および前記受信手段により受信された時刻情報に基づいて前記時刻表示手段に現時刻を表示させる動作モード移行手段として機能させることを特徴とする制御プログラムである。
【００９５】
第２の態様は、電源と、時刻情報を含む電波を受信する受信手段と、現時刻を表示する時刻表示手段とを有する計時装置にコンピュータを組み込んで、このコンピュータを、現時刻をカウントする現時刻情報記憶手段と、当該計時装置の携帯状態を検出して携帯検出信号を出力する携帯状態検出手段と、前記携帯状態検出手段からの携帯検出信号に基づいて、前記時刻表示手段を停止状態に維持する節電モードと前記時刻表示手段を稼動状態に維持する通常モードとを切り換え、前記節電モードから前記通常モードへ移行する際に、前記現時刻情報記憶手段でカウントされた時刻情報および前記受信手段により受信された時刻情報に基づいて前記時刻表示手段に現時刻を表示させる動作モード移行手段として機能させることを特徴とする制御プログラムである。
【００９６】
第３の態様は、第１または第２の態様に記載の制御プログラムにおいて、前記動作モード移行手段は、前記節電モードから前記通常モードへ移行する際に、まず、前記受信手段で時刻情報の受信を行い、前記受信手段で前記時刻情報の受信が成功した場合には、前記時刻情報に基づいて修正された前記現時刻情報記憶手段の現時刻を前記時刻表示手段に表示させ、前記受信手段で前記時刻情報の受信が成功しなかった場合には、前記現時刻情報記憶手段でカウントされた現時刻を前記時刻表示手段に表示させることを特徴とする制御プログラムである。
【００９７】
第４の態様は、第１または第２の態様に記載の制御プログラムにおいて、前記動作モード移行手段は、前記節電モードから前記通常モードへ移行する際に、まず、前記現時刻情報記憶手段でカウントされた現時刻を前記時刻表示手段に表示させ、続いて、前記時刻表示手段に表示された現時刻を、前記受信手段で受信された時刻情報に基づいて修正することを特徴とする制御プログラムである。
【００９８】
第５の態様は、第１または第２の態様に記載の制御プログラムにおいて、前記現時刻情報記憶手段は、現時刻のうち秒時刻をカウントする秒時刻カウンタおよび現時刻のうち時分時刻をカウントする時分時刻カウンタを備え、前記動作モード移行手段は、前記節電モードから前記通常モードへ移行する際に、前記時分時刻カウンタでカウントされた時分時刻を前記時刻表示手段に表示させるとともに、前記受信手段で受信された時刻情報に基づいて前記秒時刻カウンタの秒時刻を修正して、この修正された秒時刻を前記時刻表示手段に表示させることを特徴とする制御プログラムである。
【００９９】
第６の態様は、外部からのエネルギーにより発電する発電手段と、前記発電手段からの電力を蓄電する蓄電手段と、時刻情報を含む電波を受信する受信手段と、現時刻を表示する時刻表示手段とを備える計時装置にコンピュータを組み込んで、このコンピュータを、現時刻をカウントする現時刻情報記憶手段と、前記発電手段の発電状態または前記蓄電手段の蓄電電圧が所定電圧である状態を検出した際に電力検出信号を出力する電力検出手段と、前記電力検出手段からの電力検出信号に基づいて、前記時刻表示手段を停止状態に維持する節電モードと前記時刻表示手段を稼動状態である通常モードとを切り換え、前記節電モードから前記通常モードへ移行する際に、前記現時刻情報記憶手段でカウントされた時刻情報および前記受信手段により受信された時刻情報に基づいて前記時刻表示手段に現時刻を表示させる動作モード移行手段として機能させることを特徴とする制御プログラムを記録したコンピュータ読み出し可能な記録媒体である。
【０１００】
第７の態様は、電源と、時刻情報を含む電波を受信する受信手段と、現時刻を表示する時刻表示手段とを有する計時装置にコンピュータを組み込んで、このコンピュータを、現時刻をカウントする現時刻情報記憶手段と、当該計時装置の携帯状態を検出して携帯検出信号を出力する携帯状態検出手段と、前記携帯状態検出手段からの携帯検出信号に基づいて、前記時刻表示手段を停止状態に維持する節電モードと前記時刻表示手段を稼動状態に維持する通常モードとを切り換え、前記節電モードから前記通常モードへ移行する際に、前記現時刻情報記憶手段でカウントされた時刻情報および前記受信手段により受信された時刻情報に基づいて前記時刻表示手段に現時刻を表示させる動作モード移行手段として機能させることを特徴とする制御プログラムを記録したコンピュータ読み出し可能な記録媒体である。
【０１０１】
第８の態様は、第６または第７の態様に記載の記録媒体において、前記動作モード移行手段は、前記節電モードから前記通常モードへ移行する際に、まず、前記受信手段で時刻情報の受信を行い、前記受信手段で前記時刻情報の受信が成功した場合には、前記時刻情報に基づいて修正された前記現時刻情報記憶手段の現時刻を前記時刻表示手段に表示させ、前記受信手段で前記時刻情報の受信が成功しなかった場合には、前記現時刻情報記憶手段でカウントされた現時刻を前記時刻表示手段に表示させることを特徴とする制御プログラムを記録したコンピュータ読み出し可能な記録媒体である。
【０１０２】
第９の態様は、第６または第７の態様に記載の記録媒体において、前記動作モード移行手段は、前記節電モードから前記通常モードへ移行する際に、まず、前記現時刻情報記憶手段でカウントされた現時刻を前記時刻表示手段に表示させ、続いて、前記時刻表示手段に表示された現時刻を、前記受信手段で受信された時刻情報に基づいて修正することを特徴とする制御プログラムを記録したコンピュータ読み出し可能な記録媒体である。
【０１０３】
第１０の態様は。第６または第７の態様に記載の記録媒体において、前記現時刻情報記憶手段は、現時刻のうち秒時刻をカウントする秒時刻カウンタおよび現時刻のうち時分時刻をカウントする時分時刻カウンタを備え、前記動作モード移行手段は、前記節電モードから前記通常モードへ移行する際に、前記時分時刻カウンタでカウントされた時分時刻を前記時刻表示手段に表示させるとともに、前記受信手段で受信された時刻情報に基づいて前記秒時刻カウンタの秒時刻を修正して、この修正された秒時刻を前記時刻表示手段に表示させることを特徴とする制御プログラムを記録したコンピュータ読み出し可能な記録媒体である。
【０１０４】
【発明の効果】
以上、説明したように本発明の計時装置および計時装置の制御方法によれば、節電機能および時刻情報を含む電波の受信機能を有するとともに、現時刻を早く、正確に表示することができるという優れた効果を奏し得る。
【図面の簡単な説明】
【図１】本発明の計時装置に係る第１実施形態としての電波修正時計の構成を示す図である。
【図２】前記第１実施形態において、受信回路の構成を示すブロック図である。
【図３】前記第１実施形態において、制御部の構成を示すブロック図である。
【図４】前記第１実施形態において、発電検出回路の構成を示す図である。
【図５】前記第１実施形態において、通常モードから節電モードに移行する動作を示すフローチャートである。
【図６】前記第１実施形態において、節電モードから通常モードに移行する動作を示すフローチャートである。
【図７】本発明の計時装置に係る第２実施形態において、節電モードから通常モードへ移行する動作を示すフローチャートである。
【図８】本発明の計時装置に係る第３実施形態を示す図である。
【符号の説明】
１・・・電波修正時計（計時装置）、２・・・発電装置（発電手段）、４・・・受信部（受信手段）、５・・・時刻表示手段、２７・・・太陽電池（電源）、３１・・・二次電源（蓄電手段）、４２・・・受信回路（受信手段）、８３・・・電力検出部（電力検出手段）、８４・・・発電検出回路（電力検出手段）、８５・・・電圧検出回路（電力検出手段）、９４・・・携帯検出回路（携帯検出手段）、８７２・・・通常モード処理部、８７３・・・節電モード処理部、８７４・・・動作モード移行部（動作モード移行手段）、９２２・・・秒時刻カウンタ（現時刻情報記憶手段）、９３２・・・時分時刻カウンタ（現時刻情報記憶手段）
【図１】
0003627724.tif 000002
【図２】
0003627724.tif 000003
【図３】
0003627724.tif 000004
【図４】
0003627724.tif 000005
【図５】
0003627724.tif 000006
【図６】
0003627724.tif 000007
【図７】
0003627724.tif 000008
【図８】
0003627724.tif 000009